(57)【要約】本発明は熱交換ユニットの冷却フィン部に生じた凝縮水を熱交換ユニット自体内で空気中に蒸発させるようにして凝縮水を処理する凝縮水処理装置を具備した熱交換ユニットに関する。前記した目的を達成するための本発明は放熱ファンを具備したホットシンクと冷却ファンを具備したクールシンク及び前記ホットシンクとクールシンクの間に配置された熱伝素子で構成された熱交換ユニットと；前記逆交換ユニット内に備えられたクールシンクに生じた凝縮水を吸収してホットシンクの熱によって空気中に凝縮水を蒸発させる凝縮水蒸発手段を具備したことを特徴とする。本発明による熱交換ユニットはそれ自体内で凝縮水を蒸発させて別途の凝縮水受けと配水ホースを省略することができ、製作及び設置費用を節減できる。また熱交換ユニットのホットシンク自体で発生する熱によって凝縮水を蒸発させるので凝縮水を蒸発させるための別途のエネルギーが要らない有用な発明である。
2005536712.tif 000002
【特許請求の範囲】
【請求項１】
放熱ファンを具備したホットシンク、冷却ファンを具備したクールシンク、及び前記ホットシンクとクールシンクの間に配置された熱伝素子で構成された熱交換ユニット；及び
前記熱交換ユニット内に備えられたクールシンクに生じた凝縮水を吸収してホットシンクの熱によって空気中に凝縮水を蒸発させる凝縮水蒸発手段を具備することを特徴とする凝縮水処理装置を具備した熱交換ユニット。
【請求項２】
請求項１の熱交換ユニットにおいて、
前記凝縮水蒸発手段は毛細管繊維であることを特徴とする凝縮水処理装置を具備した熱交換ユニット。
【請求項３】
請求項１の熱交換ユニットにおいて、
前記凝縮水蒸発手段は前記クールシンクの冷却フィン部下端に位置させた吸収部と；前記ホットシンクの排出部下端に位置させた蒸発部；及び前記吸収部と前記蒸発部を連結する連結部で構成されることを特徴とする凝縮水処理装置を具備した熱交換ユニット。
【請求項４】
請求項３の熱交換ユニットにおいて、
前記凝縮水蒸発手段が安着される安着部をさらに含むことを特徴とする凝縮水処理装置を具備した熱交換ユニット。
【請求項５】
請求項３の熱交換ユニットにおいて、
前記凝縮水蒸発手段の吸収部に配置された凝縮水感知センサーと；前記蒸発部に配置された温度感知センサーと；前記蒸発部に配置された加熱ヒーター；及び前記凝縮水感知センサーと温度感知センサーの信号によって加熱ヒーターを駆動する制御部をさらに含むことを特徴とする凝縮水処理装置を具備した熱交換ユニット。
【請求項６】
請求項３の熱交換ユニットにおいて、
前記クールシンクの冷却フィン部は丸棒形状の冷却フィンで構成されることを特徴とする凝縮水処理装置を具備した熱交換ユニット。
【請求項７】
請求項６の熱交換ユニットにおいて、
前記丸棒形状の冷却フィンはワイヤーによって巻取られていることを特徴とする凝縮水処理装置を具備した熱交換ユニット。
【請求項８】
請求項６の熱交換ユニットにおいて、
前記丸棒形状の冷却フィン部は複数個の隔壁板を含むことを特徴とする凝縮水処理装置を具備した熱交換ユニット。
【請求項９】
請求項１または請求項２の熱交換ユニットにおいて、
ケースとカバーをさらに含むが、前記カバーには複数個の貫通孔が形成されたことを特徴とする凝縮水処理装置を具備した熱交換ユニット。
【請求項１０】
内部中間部に隔壁が横方向に形成されたケース；前記ケースの上部をカバーするカバーと；前記ケース内部隔壁に配置された電源供給装置；及び前記ケース内部隔壁の下部に配置された熱交換ユニットを含むが、前記熱交換ユニットは放熱ファンを具備するホットシンク、冷却ファンを具備するクールシンク及び前記ホットシンクとクールシンクの間に配置された熱伝素子を含むことを特徴とする凝縮水処理装置を具備した熱交換ユニット。
【請求項１１】
請求項１０の熱交換ユニットにおいて、
前記クールシンクに生じた凝縮水を吸収して前記ホットシンクの熱によって空気中に凝縮水を蒸発させる凝縮水蒸発手段をさらに含むことを特徴とする凝縮水処理装置を具備した熱交換ユニット。
【請求項１２】
請求項１１の熱交換ユニットにおいて、
前記凝縮水蒸発手段は毛細管繊維であることを特徴とする凝縮水処理装置を具備した熱交換ユニット。
【請求項１３】
請求項１１の熱交換ユニットにおいて、
前記凝縮水蒸発手段は前記クールシンクの冷却フィン部下端に位置させた吸収部と；前記ホットシンクの排出部下端に位置させた蒸発部；及び前記吸収部と前記蒸発部を連結する連結部で構成されることを特徴とする凝縮水処理装置を具備した熱交換ユニット。
【請求項１４】
請求項１３の熱交換ユニットにおいて、
前記凝縮水蒸発手段が安着される安着部をさらに含むことを特徴とする凝縮水処理装置を具備した熱交換ユニット。
【請求項１５】
請求項１３の熱交換ユニットにおいて、
前記凝縮水蒸発手段の吸収部に配置された凝縮水感知センサーと；前記蒸発部に配置された温度感知センサーと；前記蒸発部に配置された加熱ヒーター；及び前記凝縮水感知センサーと温度感知センサーの信号によって加熱ヒーターを駆動する制御部をさらに含むことを特徴とする凝縮水処理装置を具備した熱交換ユニット。
【請求項１６】
請求項１３の熱交換ユニットにおいて、
前記クールシンクの冷却フィン部は丸棒形状の冷却フィンで構成されることを特徴とする凝縮水処理装置を具備した熱交換ユニット。
【請求項１７】
請求項１６の熱交換ユニットにおいて、
前記丸棒形状の冷却フィンはワイヤーによって巻取られていることを特徴とする凝縮水処理装置を具備した熱交換ユニット。
【請求項１８】
請求項１６の熱交換ユニットにおいて、
前記丸棒形状の冷却フィン部は複数個の隔壁板を含むことを特徴とする凝縮水処理装置を具備した熱交換ユニット。
【請求項１９】
請求項１０の熱交換ユニットにおいて、
前記ケースの隔壁下端部と側面部に断熱部材をさらに含んで、前記カバーに複数個の貫通孔が形成されたことを特徴とする凝縮水処理装置を具備した熱交換ユニット。
【請求項２０】
請求項１０の熱交換ユニットにおいて、
前記電源供給装置と放熱ファンが相互に連通されるように連通管をさらに含むことを特徴とする凝縮水処理装置を具備した熱交換ユニット。
【請求項２１】
請求項１０の熱交換ユニットにおいて、
前記ホットシンクには熱伝素子が安着される複数個の断熱突出部が形成されたことを特徴とする凝縮水処理装置を具備した熱交換ユニット。
【請求項２２】
請求項１０の熱交換ユニットにおいて、
前記ホットシンクとクールシンク間に断熱スペーサーが配置されることを特徴とする凝縮水処理装置を具備した熱交換ユニット。
【請求項２３】
請求項２２の熱交換ユニットにおいて、
前記断熱スペーサーはホットシンクに締結されるねじ軸が形成され、他側に前記クールシンクに挿入されたボルトが締結されるねじ孔が形成されたことを特徴とする凝縮水処理装置を具備した熱交換ユニット。
【請求項２４】
請求項２２の熱交換ユニットにおいて、
前記ホットシンクとクールシンクに前記断熱スペーサーが安着される安着溝が形成されたことを特徴とする凝縮水処理装置を具備した熱交換ユニット。
【請求項２５】
請求項１０の熱交換ユニットにおいて、
前記ホットシンクとクールシンク間に断熱部材が配置されたことを特徴とする凝縮水処理装置を具備した熱交換ユニット。
【発明の詳細な説明】
【技術分野】
【０００１】
本発明は凝縮水処理装置を具備した熱交換ユニットに関する。特に、熱交換ユニットの冷却フィン部に生じた凝縮水を熱交換ユニット自体内で空気中に蒸発させるようにして凝縮水を処理する凝縮水処理装置を具備した熱交換ユニットに関する。
【０００２】
また熱交換ユニットとコンピュータの周辺機器に電流を供給する電源供給装置を一体で形成したコンピュータ用電源装置を一体で形成した凝縮水処理装置を具備した熱交換ユニットに関する。
【背景技術】
【０００３】
一般的にコンピュータ、通信装備及び電気／電子機器は独立した固有の機能を有する各種部品が電線またはケーブルなどによって電気的に相互に連結されて印刷回路基板を媒体にして相互に有機的に連結されており、前記部品素子の動作によって装備が動作させられたり制御できるようになる。
【０００４】
そして前記部品素子の動作によって装備が動作させられたり制御される時、これら装備を長時間用いるようになれば部品素子で多くの熱が発生するようになる。
【０００５】
したがってこのような部品素子に発生する熱によって部品の寿命が短縮されて機能も低下し、隣接した他の部品素子に影響をおよぼすようになることはもちろん、甚だしい場合には誤動作やデータ処理不能の原因になるので部品素子を冷却させるための冷却装置が使われている。
【０００６】
前記部品素子を冷却させる冷却装置は、内側に四角形態で突出した断熱突出部を具備して吸入された暑い空気を放出する放熱ファンが具備されたホットシンクが用意される。
【０００７】
外部の空気を内部に供給して冷たい空気を発生させる冷却ファンを具備したクールシンクが用意される。
【０００８】
前記ホットシンクの断熱突出部に積層されて前記クールシンクに冷たい熱を伝達する熱伝素子を具備して各種電子機器の部品素子で発生する熱を冷却させるようになる。
【０００９】
参考に、前記ホットシンクは複数の放熱フィンが結合して形成されて、前記クールシンクも複数の冷却フィンにより構成される。
【００１０】
このような熱交換ユニットでクールシンクを通過して排出口側に排出する冷却された空気は内部空気との温度差によって凝縮水を発生させる。
【００１１】
凝縮水が発生する過程をさらに詳細に説明すると次のようである。夏季空気の湿度は７５%以上高くなる環境の中で利用している。
【００１２】
エアコンのような製品では冷却フィン部の温度が空気の露点より低くなっているため空気中の湿気が冷却フィン部に凝着されて凝縮水が発生するようになる。
【００１３】
空気の除湿温度は空気温度／湿度関係によって決まる。内部の温度２０℃を維持するために稼動する冷却装置の冷却フィン部の温度は実際１０℃よりもっと低い温度である。
【００１４】
それゆえ前記温度差によって発生した凝縮水が各種電子装置の制御部に入っていき電気的ショック及び誤作動などをするようになる短所があることである。
【００１５】
したがって前記クールシンクに生じた凝縮水を除去するためには凝縮水を外部に排出するための配水ホース及び配水ホースを介して排出した凝縮水を受けることができる凝縮水受けを別途に具備したり、クールシンクに生じた凝縮水を受けることができる凝縮水受けを内部自体に具備しなければならない。
【００１６】
しかしこれは凝縮水受けに一定量の凝縮水が溜まるようになれば凝縮水があふれて電子装置の制御部に入っていき電気的ショック及び誤作動などを起こす可能性があるなどの問題点を相変らず有している。
【００１７】
また前記電源供給装置と熱交換ユニットをそれぞれコンピュータの内部に装着するので空間を多く占めるようになって、これらの装着に必要な部品が多く入っていくようになって経済的な損失をもたらすようになる。
【００１８】
したがって前記電源供給装置内に発生する熱を排出するための別途の排気口を具備しなければならず、前記熱交換ユニットを動作させるための別途の電源線を配線しなければならない問題点があった。
【発明の開示】
【発明が解決しようとする課題】
【００１９】
本発明はこのような問題点を解決するために案出されたものであって、前記クールシンクに生じた凝縮水を凝縮水蒸発手段で吸収して吸収された凝縮水はホットシンクの放熱フィン部で発生する暑い熱気によって外部空気中に蒸発するようにして凝縮水を処理するのにその目的があるものである。
【００２０】
本発明はコンピュータ、通信装備及び電気／電子機器部品素子に電源を供給する電源供給装置をコンピュータ、通信装備及び電気／電子機器部品素子の熱を冷却させるための熱交換ユニットと一体に形成される。
【００２１】
前記電源供給装置内部と放熱ファンを連通管を利用して連通されるようにして前記電源供給装置で発生する熱を前記放熱ファンを介して外部に排出するようにするのにまた他の目的があるものである。
【課題を解決するための手段】
【００２２】
本発明は放熱ファンを具備したホットシンクと冷却ファンを具備したクールシンク及び前記ホットシンクとクールシンクの間に配置された熱伝素子で構成された熱交換ユニットと；前記熱交換ユニット内に備えられたクールシンクに生じた凝縮水を吸収してホットシンクの熱によって空気中に凝縮水を蒸発させる凝縮水蒸発手段を具備したことを特徴とする。
【００２３】
本発明は内部中間部に隔壁が横方向に形成されたケースが用意されて、前記ケースの上部をカバーするカバーを具備する。
【００２４】
前記ケース内部隔壁を中心にして上部に電源供給装置が用意されて下部に放熱ファンを具備するホットシンク、冷却ファンを具備したクールシンク、及び前記ホットシンクとクールシンクの間に配置された熱伝素子で構成された熱交換ユニットが用意されたことを特徴とする。
【００２５】
またクールシンクに生じた凝縮水を吸収してホットシンクの熱によって空気中に凝縮水を蒸発させる凝縮水蒸発手段を具備したことを特徴とする。
【発明を実施するための最良の形態】
【００２６】
以下、本発明による実施形態を添付した図面を参照しながら詳細に説明すると次のようである。
【００２７】
図１は本発明による凝縮水処理装置を具備した熱交換ユニットの全体構成図、図２は本発明による凝縮水処理装置を具備した熱交換ユニットの斜視図、図３は本発明による凝縮水処理装置を具備した熱交換ユニットの分離斜視図、図４は本発明の凝縮水蒸発手段の吸収部が冷却フィン部に位置した状態を見せた断面図、図５は本発明の凝縮水蒸発手段の蒸発部が放熱フィン部に位置した状態を見せた断面図である。
【００２８】
図１ないし図５でのように本発明による熱交換ユニット１は内側に四角形態で突出した断熱突出部１６を具備して内部の空気を外部に放出する放熱ファン１４を備えたホットシンク１０が用意されて、外部の空気を流入させて内部に供給する冷却ファン２４を備えたクールシンク２０が用意される。
【００２９】
前記ホットシンク１０の断熱突出部１６に積層されて前記クールシンク２０に冷たい熱を伝達する熱伝素子２６が安着される。
【００３０】
前記ホットシンク１０とクールシンク２０は複数個の固定手段によって固定されて前記クールシンク２０とホットシンク１０を収容するケース２と前記ケース２上部をカバーするカバー３で構成される。
【００３１】
凝縮水蒸発手段３０は凝縮水が凝集される冷却フィン部２２の凝縮水凝集部２８下端に配置された吸収部３２、内部の暑い熱を外部に放出するホットシンク１０の排出部１８方向の下端に位置させた凝縮水蒸発部３６で形成される。
【００３２】
そして前記吸収部３２で吸収された凝縮水が蒸発部３６に伝えられるように相互に連結した連結部３４で構成される。
【００３３】
また、前記凝縮水蒸発手段３０の下端部に位置して吸収された凝縮水が前記熱交換ユニット１の内部周辺に流出するのを防止する安着部４０を具備する。
【００３４】
一方、凝縮水の発生を感知して凝縮水の蒸発を促進させるための構成として、凝縮水蒸発手段３０と安着部４０の間に凝縮水の有、無を検出してこれにより凝縮水を蒸発させるための構成が提供される。
【００３５】
すなわち前記凝縮水蒸発手段３０の吸収部３２下端部に凝縮水の有、無を検出する凝縮水感知センサー５２が配置されて蒸発部３６下端部に一定温度を維持するために温度を感知する温度感知センサー５０が配置される。
【００３６】
そして凝縮水の有、無に関する凝縮水感知センサー５２の情報を受けて加熱ヒーター６０の作動状態をＯＮ／ＯＦＦさせて、温度感知センサー５０の情報を受けて一定温度以上上昇するのを防止するための制御部７０が提供される。
【００３７】
本発明による熱交換ユニットをよく見れば、外部の空気を冷却ファン２４によりクールシンク２０側に導入させれば、導入された空気はクールシンク２０が具備する冷却フィン部２２を過ぎながら冷たくなる。
【００３８】
前記冷たくなった空気は送風ダクト２７を介して内部に供給されて各種電子機器の部品などに発生する熱を冷却してくれるようになる。
【００３９】
この時クールシンク２０を通過して送風ダクト２７を介して内部に供給される冷たい空気は内部空気との温度差によって内部空気と会う地点である冷却フィン部２２の表面に凝縮水が発生する。
【００４０】
前記発生した凝縮水は下端部の前記凝縮水蒸発手段３０の吸収部３２に吸収されて連結部３４を介してホットシンク１０の下端部に具備された前記凝縮水蒸発手段３０の蒸発部３６に移動する。
【００４１】
一方、前記凝縮水蒸発手段３０は安着部４０に安着されているため凝縮水蒸発手段３０に吸収された凝縮水は熱交換ユニット１の内部に流出することが防止される。
【００４２】
この時熱伝素子２６が動作しながら発生する熱がホットシンク１０に伝えられてホットシンク１０の熱は凝縮水蒸発手段３０の蒸発部３６に吸収された凝縮水の温度を蒸発がよくなる約３５℃以上の温度に加熱するようになる。
【００４３】
前記凝縮水蒸発手段３０の蒸発部３６で加熱された凝縮水は前記排出部１８を介して外部に蒸発するようになる。この時ホットシンク１０の温度は約４０〜５０℃以上であって排出する空気の温度は約３５〜４０℃である。
【００４４】
したがって前記凝縮水蒸発手段３０の吸収部３２で吸収された凝縮水は連結部３４を介して蒸発部３６に移動して前記蒸発部３６に移動した凝縮水は発熱フィン部１２の熱によって排出部１８を介して外部に蒸発する。
【００４５】
前記蒸発部３６で凝縮水が蒸発することによって前記吸収部３２で吸収された凝縮水は続いて連結部３４を介して蒸発部３６に供給される。
【００４６】
また前記吸収蒸発部３０の蒸発部３６に凝縮水の蒸発がよくなるようにするために凝縮水の温度を所定温度まで加熱するための加熱ヒーター６０を備えて凝縮水を迅速に蒸発させる。
【００４７】
この時加熱ヒーター６０の温度は人体に危険でない、例えば６０℃以下の温度を維持するように前記凝縮水蒸発手段３０の蒸発部３６が具備する温度感知センサー５０で温度を検出する。
【００４８】
前記検出された温度情報を制御部７０に伝達して前記制御部７０の制御によって加熱ヒーター６０の温度が６０℃の温度以下に制御されて維持される。
【００４９】
そして前記制御部７０は凝縮水蒸発手段３０の吸収部３６に備えられた凝縮水感知センサー５２を介して前記吸収部３２の凝縮水有、無を感知する。
【００５０】
前記感知された凝縮水有、無に関する情報は制御部７０に伝えられて、制御部７０では凝縮水がないと判断する場合、電源部７２の電源を遮断して前記加熱ヒーター６０の作動を遮断する。
【００５１】
一方、凝縮水蒸発手段３０は吸収力及び蒸発がよくなる毛細管繊維で構成することが望ましい。
【００５２】
参考に現在使われる毛細管繊維は１／１００ｍｍ以下の超極細繊維であって、こういう微細加工された繊維は水を吸収する能力が一般繊維の３倍以上になることと知られている。
【００５３】
図６は本発明による他の実施形態の凝縮水処理装置を具備した熱交換ユニットの全体構成図、図７は本発明による他の実施形態の凝縮水処理装置を具備した熱交換ユニットの凝縮水蒸発系統図、図８は本発明による他の実施形態の凝縮水処理装置を具備した熱交換ユニットの斜視図、図９は本発明による他の実施形態の凝縮水処理装置を具備した熱交換ユニットの分離斜視図、図１０は本発明による他の実施形態の凝縮水処理装置を具備した熱交換ユニットの結合状態要部切開断面図、図１１は本発明による他の実施形態の凝縮水蒸発手段の吸収部が冷却フィン部に位置した状態を見せた断面図、図１２は本発明による他の実施形態の凝縮水蒸発手段の蒸発部を放熱フィン部に位置させた状態を見せた断面図である。
【００５４】
図６ないし図１２でのように本発明は内部中間部に隔壁１０７が横方向に形成されたケース１０１が用意されて、前記ケース１０１の上部をカバーするカバー１０２を具備する。
【００５５】
前記ケース１０１内部隔壁１０７を中心にして上側に外部の電源線が差込まれて電源を印加する電源連結口１０６を具備した電源供給装置１０５が用意される。
【００５６】
前記隔壁の下側に放熱ファン１１４を具備したホットシンク１１１、冷却ファン１２４を具備したクールシンク１２１、及び前記ホットシンク１１１とクールシンク１２１の間に配置された熱伝素子１２６で構成された熱交換ユニット１１０が用意される。
【００５７】
前記電源供給装置１０５は外部で供給される電源線を前記電源連結口１０６に差込んで、前記電源供給装置１０５に電源が印加されてコンピュータ機器及び熱交換ユニットを駆動させるようになる。
【００５８】
この時電源供給装置１０５に印加された電源を前記熱交換ユニット１１０の電源部１７２と熱伝素子１２６にそれぞれ電源を印加させて前記熱交換ユニット１１０が作動するようになる。
【００５９】
前記電源供給装置１０５と前記熱交換ユニット１１０の放熱ファン１１４に連通されて前記電源供給装置１０５で発生する熱を排出部１１８に排出するための連通管１１７を具備する。
【００６０】
前記ケース１０１の内部隔壁１０７と前記熱交換ユニット１１０の中間の間と前記熱交換ユニット１１０の外側部すなわち、カバー１０２の内側部間と熱交換ユニット１１０と前記熱交換ユニット１１０の外側面及び底面部にそれぞれの断熱部材１０８，１０８ａ，１０８ｂを具備して前記熱交換ユニット１１０の熱損失を防止するようになる。
【００６１】
前記熱交換ユニット１１０は内側に四角形態で突出した断熱突出部１１６を具備して内部の空気を外部に放出する放熱ファン１１４が備えられたホットシンク１１１が用意される。
【００６２】
前記外部の空気を流入して内部に供給させる冷却ファン１２４を具備したクールシンク１２１が用意される。
【００６３】
前記ホットシンク１１１の断熱突出部１１６に積層されて前記クールシンク１２１に冷たい熱を伝達する熱伝素子１２６が安着される。
【００６４】
前記ホットシンク１１１とクールシンク１２１は複数個のボルト１１９によって固定されて、凝縮水蒸発手段１３０は凝縮水が凝集される冷却フィン部１２２の凝縮水凝集部１２８下端に吸収部１３２を配置する。
【００６５】
前記内部の暑い熱を外部に放出するホットシンク１１１の排出部１１８方向の下端に凝縮水蒸発部１３６を配置する。
【００６６】
そして前記吸収部１３２で吸収された凝縮水を蒸発部１３６に伝えられるように相互に連結した連結部１３４が設けられる。
【００６７】
前記ボルト１１９はホットシンク１１１とクールシンク１２１を相互に固定させる固定手段である金属材のボルト１４０で前記ボルト１１９によってホットシンク１１１とクールシンク１２１が相互に固定されることである。
【００６８】
また、前記凝縮水蒸発手段１３０の下端部に位置して吸収された凝縮水が前記熱交換ユニット１１０の内部周辺に流出するのを防止する安着部１４０を具備する。
【００６９】
一方、凝縮水の発生を感知して凝縮水の蒸発を促進させるための構成として、凝縮水蒸発手段１３０と安着部１４０の間に凝縮水の有、無を検出してこれにより凝縮水を蒸発させるための構成が提供される。
【００７０】
すなわち、前記凝縮水蒸発手段１３０の吸収部１３２下端部に凝縮水の有、無を検出する凝縮水感知センサー１５２が配置されて蒸発部１３６下端部に一定温度を維持するために温度を感知する温度感知センサー１５０が配置される。
【００７１】
そして凝縮水の有、無に関する凝縮水感知センサー１５２の情報を受けて加熱ヒーター１６０の作動状態をＯＮ／ＯＦＦさせて、温度感知センサー１５０の情報を受けて一定温度以上上昇するのを防止するための制御部１７０が提供される。
【００７２】
また前記制御部ではコンピュータのケース内とＣＰＵ放熱ファンの温度を感知して前記これらの情報を基礎にして前記クールシンクの冷却ファン回転速度とホットシンクの放熱ファンの作動有、無を決定する。
【００７３】
本発明による熱交換ユニットをよく見れば、外部の空気を冷却ファン１２４によりクールシンク１２１側に導入すれば、導入された空気はクールシンク１２１に備えられた冷却フィン部１２２を過ぎながら冷たくなる。
【００７４】
前記冷たくなった空気は送風ダクト１２７を介して内部に供給されて各種電子機器の部品などに発生する熱を冷却してくれるようになる。
【００７５】
この時クールシンク１２１を通過して送風ダクト１２７を介して内部に供給される冷たい空気は内部空気との温度差によって内部空気と会う地点の冷却フィン部１２２表面に凝縮水を発生させる。
【００７６】
前記発生した凝縮水は下端部の前記凝縮水蒸発手段１３０の吸収部１３２に吸収されて連結部１３４を介してホットシンク１１１の下端部に備えられた前記凝縮水蒸発手段１３０の蒸発部１３６に移動する。
【００７７】
一方、前記凝縮水蒸発手段１３０は安着部１４０に安着されているため凝縮水蒸発手段１３０に吸収された凝縮水は熱交換ユニット１１０の内部に流出することが防止される。
【００７８】
この時前記電源供給装置から電源の印加を受けた熱伝素子１２６が動作しながら発生する熱がホットシンク１１１に伝えられる。
【００７９】
前記ホットシンク１１１の熱は凝縮水蒸発手段１３０の蒸発部１３６に吸収された凝縮水の温度を蒸発がよくなる約３５℃以上の温度に加熱するようになる。
【００８０】
前記凝縮水蒸発手段１３０の蒸発部１３６で加熱された凝縮水は前記排出部１１８を介して外部に蒸発するようになる。
【００８１】
この時ホットシンク１１１の温度は約４０〜５０℃以上であって排出する空気の温度は約３５〜４０℃である。
【００８２】
したがって前記凝縮水蒸発手段１３０の吸収部１３２で吸収された凝縮水は連結部１３４を介して蒸発部１３６に移動する。
【００８３】
前記蒸発部１３６に移動した凝縮水は発熱フィン部１１２の熱によって排出部１１８を介して外部に蒸発する。
【００８４】
前記蒸発部１３６で凝縮水が蒸発することによって前記吸収部１３２で吸収された凝縮水は続いて連結部１３４を介して蒸発部１３６に供給される。
【００８５】
また前記凝縮水蒸発手段１３０の蒸発部１３６に凝縮水の蒸発がよくなるようにするために凝縮水の温度を所定温度まで加熱するための加熱ヒーター１６０を具備して凝縮水を迅速に蒸発させる。
【００８６】
この時加熱ヒーター１６０の温度は人体に危険でない、例えば６０℃以下の温度を維持するように前記凝縮水蒸発手段１３０の蒸発部１３６が具備する温度感知センサー１５０で温度を検出する。
【００８７】
前記検出された温度情報を制御部１７０に伝達して前記制御部１７０の制御によって加熱ヒーター１６０の温度が６０℃の温度以下に制御されて維持される。
【００８８】
そして前記制御部１７０は凝縮水蒸発手段１３０の吸収部１３６に備えられた凝縮水感知センサー１５２を介して前記吸収部１３２の凝縮水有、無を感知する。
【００８９】
感知された凝縮水有、無に関する情報は制御部１７０に伝えられて、制御部１７０では凝縮水がないと判断する場合、電源部１７２の電源を遮断して前記加熱ヒーター１６０の作動を遮断する。
【００９０】
一方凝縮水蒸発手段１３０は吸収力及び蒸発がよくなる毛細管繊維で構成することが望ましい。
【００９１】
参考に現在使われる毛細管繊維は１／１００ｍｍ以下の超極細繊維であって、こういう微細加工された繊維は水を吸収する能力が一般繊維の３倍以上になることと知られている。
【００９２】
そして電源供給装置１０５の作動によって発生する熱は放熱ファン１１４の吸収力により連通管１１７を介して吸収されて前記排出部１１８に排出される。
【００９３】
また前記ケース１０１上部をカバーするカバー１０２に、特に電源供給装置１０５の位置部に複数個の貫通孔１０３を形成する。
【００９４】
前記貫通孔１０３を形成して電源供給装置で発生する熱を排出部１１８を介して外部に放出する時、一部の熱が前記貫通孔１０３を介して放出されるようにすることによって前記電源供給装置１０５で発生した熱をさらに円滑に放出させることができる。
【００９５】
図１３は本発明によるまた他の実施形態であってクールシンクの冷却フィン部が丸棒形状で形成された状態を見せたものであって、前記クールシンク１２１ａの冷却フィン部１２２ａを複数個の丸棒形状で形成して前記冷却フィン部１２２ａの凝縮部１２８に生じた凝縮水が円滑に凝縮水蒸発手段１３０の吸収部１３２に流れ落ちるようにしたものである。
【００９６】
図１４及び図１５は本発明によるクールシンクの丸棒形状の冷却フィンにワイヤーが締結された状態を見せたものであって、前記クールシンク１２１ａの冷却フィン部１２２ａの凝集部１２８に発生した凝縮水は発生した凝縮水の量によりすなわち凝縮水が一定大きさの水滴になってこそ吸収部１３２に落ちるようになる。
【００９７】
したがって丸棒形状の冷却フィン部１２２ａの凝縮水が凝集される凝集部１２８に縦方向に巻取られた複数個のワイヤー１８０を具備する。
【００９８】
それゆえ前記冷却フィン部１２２ａに生じる水滴の量とは関係なく凝縮水が発生する時ごとに即時ワイヤー１８０に沿って吸収部１３２に流れて落ちることができるようにして前記丸棒形状の冷却フィン部１２２ａに凝縮水が残留するのを防止する。
【００９９】
図１６及び図１７は本発明のクールシンクの丸棒形状の冷却フィン部に隔壁板が備えられた状態を見せたものであって、冷却フィン部１２２ａの凝縮水凝集部１２８ａに用意された複数個の隔壁板１８２を具備して前記冷却フィン部１２２ａにワイヤー１８０を具備したことと同一な効果を有するものである。
【０１００】
前述した実施形態でよく見たように本発明では別途の凝縮水を受けて処理する配水装置が要らないし、凝縮水による電気的ショック及び誤作動などを防止することができるものである。
【０１０１】
図１８及び図１９は本発明のまた他の実施形態であって断熱スペーサーが備えられた状態を見せたものであって、前記ホットシンク２１１とクールシンク２２１間に熱伝逹を防止する断熱スペーサー２４０を具備する。
【０１０２】
前記断熱スペーサー２４０はホットシンク２１１に締結されるねじ軸２４２が形成されて、他側に前記クールシンク２２１に挿入されたボルト２３０が締結されるねじ孔２４４が形成されて、前記ホットシンク２１１とクールシンク２２１に前記断熱スペーサー２４０が安着される安着溝２１９、２２９をそれぞれ具備する。
【０１０３】
したがって前記ホットシンク２１１とクールシンク２２１を相互に固定する固定手段である金属材のボルト２３０が直接的にホットシンク２１１に締結されて固定されるのではなく断熱効果を有する断熱スペーサー２４０を中間に連結してホットシンク２１１とクールシンク２２１を相互に固定させるので、断熱効果が優秀である。
【０１０４】
そして前記ホットシンク２１１の熱がクールシンク２２１側に伝えられる熱伝素子２２６の熱ポンピング損失が防止される。
【０１０５】
また前記ホットシンク２１１とクールシンク２２１の間に断熱スペーサー２４０がない場合、金属性ボルト２３０の熱伝導度が５８．９〜４１．８[ｗ／ｍｋ]の熱伝導を有するようになる。
【０１０６】
しかし前記熱伝逹を防止する断熱スペーサー２４０を具備することによって金属性ボルト２３０の熱伝導度が２．０９〜１．５７[ｗ／ｍｋ]に減少する。
【０１０７】
これによりホットシンク２１１とクールシンク２２１を結合するボルト２３０の構造において最大２９倍の断熱効果を有するようになる。
【０１０８】
そしてホットシンクの内側面に熱伝素子２２６が安着される断熱突出部２１６を突出形成して前記ホットシンク２１１とクールシンク２２１の間の空間部を広く形成することによって、さらに厚い断熱部材２５０の配置が可能であってこれにより断熱効果が増大する。
【０１０９】
この時前記断熱部材２５０は前記ホットシンク２１１とクールシンク２２１の間の空間部すなわち断熱突出部２１６の周辺に断熱部材２５０を具備して前記ホットシンク２１１で発生する熱がクールシンク２２１に伝えられるのを防止する。
【０１１０】
図２０は本発明の断熱部材が備えられた他の実施形態を見せたものであって、前記ホットシンク２１１とクールシンク２２１の間に備えられる断熱部材２５０ａは前記ホットシンク２１１の断熱突出部２１９と同一な厚さを有する。
【０１１１】
したがって前記ホットシンク２１１とクールシンク２２１の間に熱伝素子２２６の厚さだけの空間部が別途に形成されて前記ホットシンク２１１で発生する熱がクールシンク２２１に伝えられるのを断熱部材２５０ａで１次的に遮断する。
【０１１２】
そして前記空間部で２次的に熱を遮断して二重断熱効果を提供する。
【０１１３】
以上本発明の望ましい実施形態に対して詳細に記述したが、本発明が属する技術分野で通常の知識を有する者ならば、添付された請求範囲に定義された本発明の精神及び範囲を逸脱せずに本発明をいろいろに変形または変更して実施できることが分かるであろう。
【産業上の利用可能性】
【０１１４】
前記のように、本発明によって熱交換ユニットのホットシンク自体で発生する熱によって凝縮水を蒸発させるので凝縮水を蒸発させるための別途のエネルギーが要らず経済的な有用性を提供する。
【０１１５】
また凝縮水蒸発手段の蒸発部に加熱ヒーターを具備して一次的に放熱フィン部で発生する熱によって凝縮水を蒸発させて、２次的に加熱ヒーターの熱によって凝縮水を蒸発させるので短時間内に凝縮水を外部空気中に蒸発させることができる。
【０１１６】
そしてコンピュータを駆動させるための電源を供給を受けて印加させる電源供給装置と熱交換ユニットが一体に形成されていてコンピュータの内部の設置時体積が小さくて占有空間が少なくなる。
【０１１７】
また前記ホットシンクとクールシンク間に断熱スペーサーを具備することによって前記クールシンクの締結された金属性ボルトがホットシンクに直接接触するのを防止して熱損失を減少させる効果がある。
【図面の簡単な説明】
【０１１８】
【図１】図１は本発明による凝縮水処理装置を具備した熱交換ユニットの全体構成図である。
【図２】図２は本発明による凝縮水処理装置を具備した熱交換ユニットの斜視図である。
【図３】図３は本発明による凝縮水処理装置を具備した熱交換ユニットの分離斜視図である。
【図４】図４は本発明の凝縮水蒸発手段の吸収部が冷却フィン部に位置した状態を見せた断面図である。
【図５】図５は本発明の凝縮水蒸発手段の蒸発部が放熱フィン部に位置した状態を見せた断面図である。
【図６】図６は本発明による他の実施形態の凝縮水処理装置を具備した熱交換ユニットの全体構成図である。
【図７】図７は本発明による他の実施形態の凝縮水処理装置を具備した熱交換ユニットの凝縮水蒸発系統図である。
【図８】図８は本発明による他の実施形態の凝縮水処理装置を具備した熱交換ユニットの斜視図である。
【図９】図９は本発明による他の実施形態の凝縮水処理装置を具備した熱交換ユニットの分離斜視図である。
【図１０】図１０は本発明による他の実施形態の凝縮水処理装置を具備した熱交換ユニットの結合状態要部切開断面図である。
【図１１】図１１は本発明による他の実施形態の凝縮水蒸発手段の吸収部が冷却フィン部に位置した状態を見せた断面図である。
【図１２】図１２は本発明による他の実施形態の凝縮水蒸発手段の蒸発部が放熱フィン部に位置した状態を見せた断面図である。
【図１３】図１３は本発明によるまた他の実施形態であってクールシンクの冷却フィン部が丸棒で形成された状態を見せた斜視図である。
【図１４】図１４は本発明によるまた他の実施形態であってクールシンクの丸棒形状の冷却フィン部にワイヤーが備えられた状態を見せた斜視図である。
【図１５】図１５は図１４のＡ−Ａ線の断面図である。
【図１６】図１６は本発明のクールシンクの丸棒形状の冷却フィン部に隔壁板が備えられた状態を見せた斜視図である。
【図１７】図１７は図１６のＢ−Ｂ線の断面図である。
【図１８】図１８は本発明のまた他の実施形態であって断熱スペーサーと断熱部材が備えられた状態を見せた分離斜視図である。
【図１９】図１９は図１８の結合した状態を見せた結合状態断面図である。
【図２０】図２０は本発明の断熱部材が備えられた状態の他の実施形態を見せた断面図である。
【符号の説明】
【０１１９】
１，１１０，２１０  熱交換ユニット
１０，１１１，２１１  ホットシンク
１２，１１２，２１２  放熱フィン部
１４，１１４  放熱ファン
１６，１１６，２１６  断熱突出部
１８，１１８  排出部
２０，２０ａ，１２１，１２１ａ，２２１  クールシンク
２２，２２ａ，１２２，１２２ａ  冷却フィン部
２４，１２４  冷却ファン
２６，１２６，２２６  熱伝素子
２７，１２７  送風ダクト
２８，２８ａ，１２８，１２８ａ  凝縮部
３０，１３０  凝縮水蒸発手段
３２，１３２  吸収部
３４，１３４  連結部
３６，１３６  蒸発部
４０，１４０  安着部
５０，５２，１５０，１５２  感知センサー
６０，１６０  加熱ヒーター
７０，１７０  制御部
７２，１７２  電源部
１０５  電源供給装置
１０６  電源連結口
１０７  隔壁
１０８，１０８ａ，１０８ｂ，２５０，２５０ａ  断熱部材
１８０  ワイヤー
１８２  隔壁板
２１９，２２９  安着溝
２４０  断熱スペーサー
２４２  ねじ軸
【図１】
2005536712.tif 000003
【図２】
2005536712.tif 000004
【図３】
2005536712.tif 000005
【図４】
2005536712.tif 000006
【図５】
2005536712.tif 000007
【図６】
2005536712.tif 000008
【図７】
2005536712.tif 000009
【図８】
2005536712.tif 000010
【図９】
2005536712.tif 000011
【図１０】
2005536712.tif 000012
【図１１】
2005536712.tif 000013
【図１２】
2005536712.tif 000014
【図１３】
2005536712.tif 000015
【図１４】
2005536712.tif 000016
【図１５】
2005536712.tif 000017
【図１６】
2005536712.tif 000018
【図１７】
2005536712.tif 000019
【図１８】
2005536712.tif 000020
【図１９】
2005536712.tif 000021
【図２０】
2005536712.tif 000022
【手続補正書】
【提出日】平成16年3月26日(2004.3.26)
【手続補正１】
【補正対象書類名】図面
【補正対象項目名】図３
【補正方法】変更
【補正の内容】
【図３】
2005536712.tif 000023
【国際調査報告】
2005536712.tif 000024
2005536712.tif 000025